(57)【要約】【課題】乗り場利用者が乗車条件を簡易な操作で設定でき、所定の乗車状態のエレベーターの呼びを自動登録できるとともに、運転効率の低下を防ぐこと。【解決手段】かご制御装置及び乗り場制御装置との間でかご乗車状態情報及びかご呼び情報をやり取りするエレベーター呼び登録アプリケーションソフトをもつ携帯端末１を備えたエレベーターシステムであって、携帯端末１のエレベーター呼び登録アプリケーションソフト３は、カメラ及びかご制御装置からかご内の乗車状態である乗客の性別と人数を取得し、さらに、携帯端末１の所持者による入力操作によってかごに乗車してもよしとする乗車条件４を設定６して自動登録５し、さらに、乗車状態と自動登録した乗車条件４とを比較し合致するか否かを判断し、乗り場制御装置は、自動登録した乗車条件４に合致したエレベーターに対して、呼び釦の操作によることなく、エレベーター呼び登録する。【選択図】図１
2014169144.tif 000002
【特許請求の範囲】
【請求項１】
エレベーターのかごに設けられたカメラ及びかご制御装置と、エレベーターの乗り場に設けられた呼び釦及び乗り場制御装置と、前記かご制御装置及び乗り場制御装置との間でかご乗車状態情報及びかご呼び情報をやり取りするエレベーター呼び登録アプリケーションソフトをもつ携帯端末と、から構成されるエレベーターシステムであって、
前記携帯端末のエレベーター呼び登録アプリケーションソフトは、前記カメラ及び前記かご制御装置の画像解析部からかご内の乗車状態である乗客の性別と人数を取得し、さらに、前記携帯端末の所持者による入力操作によってかごに乗車してもよしとする乗車条件を設定して自動登録し、さらに、前記乗車状態と前記自動登録した乗車条件とを比較し前記乗車条件に合致するか否かを判断し、
前記乗り場制御装置は、前記自動登録した乗車条件に合致したエレベーターに対して、前記呼び釦の操作によることなく、前記携帯端末とのやり取りによってエレベーター呼び登録する
ことを特徴とするエレベーターシステム。
【請求項２】
請求項１において、
前記エレベーター呼び登録アプリケーションソフトは、前記携帯端末の所持者による乗車条件の設定に際して、かご内で異性と２人きりになる設定は不能とし、前記自動登録はされない
ことを特徴とするエレベーターシステム。
【請求項３】
請求項１において、
前記エレベーター呼び登録アプリケーションソフトが前記かご制御装置の画像解析部からの画像情報によりかご内乗車状態として女性１人であることを把握した場合に、前記乗り場制御装置は、男性所持の携帯端末での自動登録に基づいたエレベーターの呼び登録を待機させる
ことを特徴とするエレベーターシステム。
【請求項４】
請求項１において、
前記携帯端末には、予め設定した前記乗車条件を常時登録しておく常時自動登録釦と、１回のみ又は前記乗り場に接近するその都度前記乗車条件を設定して登録する１回のみ自動登録釦と、を設ける
ことを特徴とするエレベーターシステム。
【発明の詳細な説明】
【技術分野】
【０００１】
本発明は、乗場の利用者の判断によりかごに乗車してもよい乗車条件を自己の携帯端末に登録することで、登録内容に合致したエレベーターの呼びが自動登録されるエレベーターシステムに関する。
【背景技術】
【０００２】
エレベーターは一般に、かご内の乗客率により乗り場呼びに応答するか否かはエレベーター装置側が判断していた。例えば、かご内荷重が一定の基準値を超えているエレベーターは乗り場呼びに応答せず、かご内荷重が基準値以下の場合に応答するようにしていた。
【０００３】
ところで、実際の運用においては、かご内の状況を見て乗るか乗らないかを乗り場で待つ利用者が判断し決める場合もあり得る。このため、かご内荷重が一定の基準値以下のかごを乗り場呼び登録階に停止させても、かご内に居る乗客の混雑状況をみて乗り場で待つ利用者が乗らないと判断することがあり（例えば、乗り場利用者が大きな荷物を所持している場合）、このような状況では、かご内の乗客は無駄に停止したという不快感を覚えるとともに、運転効率も著しく低下してしまう。
【０００４】
また、かご内荷重が一定の基準値以下で、かご内に乗車できるスペースがある場合においても、異性と２人きり、異性の中に１人きりとなる状態では、乗り場で待つ利用者は乗らないと判断してしまう場合がある。
【０００５】
そこで、従来、エレベーターのかご内の乗客率を乗り場に表示し、乗り場の利用者に対して乗るか否かを判断させ、呼び釦を再度押すことで呼び登録取消しを行えるようにし、不快感の解消及び運転効率の改善を図ったものがある（例えば、特許文献１又は特許文献２を参照）。
【０００６】
また、居住するビル内において、子供が１人でエレベーターを利用する場合の安全確認を目的として、エレベーター利用者である子供が携帯するＩＤカード付きの情報記憶装置を認識して、かご内に設置したカメラの映像が、当該子供の保護者のもつ携帯端末または居室の映像表示装置から見られるようにしたものがある（例えば、特許文献３を参照）。
【先行技術文献】
【特許文献】
【０００７】
【特許文献１】特開平２−１０６５７７号公報
【特許文献２】特開２０００−２２９７６９号公報
【特許文献３】特開２００９−１９０８４７号公報
【発明の概要】
【発明が解決しようとする課題】
【０００８】
しかしながら、上記の特許文献１又は２に示すような従来のエレベーターシステムでは、乗り場の利用者は呼び釦を操作してエレベーターの呼び登録をした後、表示手段の表示或いは音声案内手段の案内に基づき、割り当てられたかごの乗客率を確認するとともに、乗るか乗らないかを判断する必要があり、そこで、乗り場利用者が乗らないと判断した場合は、呼び釦を再操作して呼び登録の取消しを行い、乗客率の高いエレベーターが通過した後に再度呼び登録する必要がある。
【０００９】
上述したような操作手順は、使いやすいとは言い難たかった。特に、乗客率の低い快適なエレベーターを望む年配の利用者等にとってこれらの判断や操作を行うことは難しく、サービス性の観点から課題があった。
【００１０】
また、上記の特許文献３に示すように、かご内に設置したカメラの映像を映像確認者（例えば保護者）の携帯端末や居室の表示装置で確認し、異常の際に映像確認者に注意喚起を促す装置は、異常事態への迅速な対処と、見られていることによる犯罪抑止効果は期待できるが、未然防止にはならない。
【００１１】
本発明は、前述した従来技術の課題を解決するためになされたものであり、その目的は、簡易な操作で所定の乗車状態のエレベーターに乗車することができるとともに、運転効率の低下を防ぐことのでき、且つ犯罪に繋がる状況を事前に回避できるエレベーターシステムを提供する。
【課題を解決するための手段】
【００１２】
前記課題を解決するために、本発明は主として次のような構成を採用する。  
エレベーターのかごに設けられたカメラ及びかご制御装置と、エレベーターの乗り場に設けられた呼び釦及び乗り場制御装置と、前記かご制御装置及び乗り場制御装置との間でかご乗車状態情報及びかご呼び情報をやり取りするエレベーター呼び登録アプリケーションソフトをもつ携帯端末と、から構成されるエレベーターシステムであって、
前記携帯端末のエレベーター呼び登録アプリケーションソフトは、前記カメラ及び前記かご制御装置の画像解析部からかご内の乗車状態である乗客の性別と人数を取得し、さらに、前記携帯端末の所持者による入力操作によってかごに乗車してもよしとする乗車条件を設定して自動登録し、さらに、前記乗車状態と前記自動登録した乗車条件とを比較し前記乗車条件に合致するか否かを判断し、前記乗り場制御装置は、前記自動登録した乗車条件に合致したエレベーターに対して、前記呼び釦の操作によることなく、前記携帯端末とのやり取りによってエレベーター呼び登録する構成とする。
【００１３】
また、前記エレベーターシステムにおいて、前記エレベーター呼び登録アプリケーションソフトは、前記携帯端末の所持者による乗車条件の設定に際して、かご内で異性と２人きりになる設定は不能とし、前記自動登録はされないこと。さらに、前記エレベーター呼び登録アプリケーションソフトが前記かご制御装置の画像解析部からの画像情報によりかご内乗車状態として女性１人であることを把握した場合に、前記乗り場制御装置は、男性所持の携帯端末での自動登録に基づいたエレベーターの呼び登録を待機させること。
【発明の効果】
【００１４】
本発明によれば、乗り場の利用者は、乗車してもよいエレベーターの乗客条件を予め自己の携帯端末からアプリケーションソフトを用いて、自動で所定の乗車状態のエレベーターの呼び登録をすることができ、サービス性の向上を図ることができる。
【００１５】
また、乗車するエレベーターの乗車条件を利用者自身で設定しているため、エレベーターの不要な停止動作が避けられ、運転効率の低下を防ぐことができる。
【図面の簡単な説明】
【００１６】
【図１】本発明の実施形態に係るエレベーターシステムへの呼び登録を行う携帯端末のアプリケーションソフト起動画面を示す図である。
【図２】本実施形態に係るエレベーターシステムの全体構成を表すブロック図である。
【図３】本実施形態に係るエレベーターシステムにおける乗り場の正面図である。
【図４】本実施形態に係るエレベーターシステムにおけるかご内の正面図である。
【図５】本実施形態に係るエレベーターシステムへの呼び登録の処理手順を示すフローチャートである。
【発明を実施するための形態】
【００１７】
本発明の実施形態に係るエレベーターシステムについて、図１〜図５を参照しながら以下説明する。まず最初に、本実施形態に係るエレベーターシステムの概要を説明すると、乗り場のエレベーター利用者が、スマートフォン等の携帯端末にインストールされたアプリケーションソフトを用いて、エレベーターのかご内の乗客を含めた乗車状態を把握可能とし、さらに、乗り場の利用者が乗車してもよしとするエレベーターの乗車条件（例えば、乗り場利用者が女性の場合にかご内に男性と２人きりにならないこと）を設定してかご呼びの自動登録を可能とし、予め設定し登録した乗車条件に合致したエレベーターの呼びを、乗り場の呼び釦を押圧することなく、携帯端末を持って乗り場に近づくことで、乗り場制御装置に対して呼び登録できることを主たる特徴とするものである。 
このように、本発明の実施形態においては、乗り場の利用者が乗車してもよしとするエレベーターの乗車条件を予め設定しておきたい場合に、自己の携帯端末からアプリケーションソフトを用いてこの乗車条件を登録しておくことによって、この乗車条件と合致したエレベーターが割り当てられるものである。繰り返すと、乗り場の利用者は、乗車してもよしとするエレベーターを所望する場合、自己の携帯端末に乗車条件を設定するだけでよく、簡易な操作で、乗車してよいエレベーターを選択することができる。
【００１８】
上述した本実施形態に係るエレベーターシステムの特徴を具体化するための構成について以下説明する。図１は本発明の実施形態に係るエレベーターシステムへの呼び登録を行う携帯端末のアプリケーションソフト起動画面を示す図であり、図２は本実施形態に係るエレベーターシステムの全体構成を表すブロック図であり、図３は本実施形態に係るエレベーターシステムにおける乗り場の正面図であり、図４は本実施形態に係るエレベーターシステムにおけるかご内の正面図である。
【００１９】
図面において、１は携帯端末、２はアプリケーションソフト起動画面、３はエレベータ呼び登録アプリケーション画面、４は乗車条件編集画面、５は呼び登録画面、６は乗車条件設定画面、７は乗車条件編集用釦、８は乗車状態検索用釦、９は乗車条件の常時自動登録用釦、１０は乗車条件の一回のみ自動登録用釦、１２は携帯端末の情報送受信部、２０は乗り場、２１は呼び釦、２２は乗り場ドア、２３は到着灯、２５は乗り場制御装置、２６は制御部、２７は情報送受信部、３０はかご、３１はかご内操作盤、３２は行き先階登録釦、３３は開釦、３４は閉釦、３５はカメラ、４０はかご制御装置、４１は制御部、４２は画像解析部、４３は情報送受信部、５０は昇降路又は機械室、５１はエレベーター制御盤、をそれぞれ表す。
【００２０】
本発明の実施形態に係るエレベーターシステムは、図２に示すように、乗り場利用者が所持する携帯端末１と、かご３０のカメラ３５及びかご制御装置４０と、乗り場２０の呼び釦２１及び乗り場制御装置２５と、から成り立っている。乗り場２０には、ドア２２と到着灯２３と乗り場呼び登録を行う呼び釦２１とが備わっている。かご３０にはかご内操作盤３１が備えられており、この操作盤３１に行き先階登録を行う行き先階登録釦３２とドアの開閉指令を出力する開閉釦３３，３４とが具備されている。また、昇降路又は機械室５０に備わったエレベーター制御盤５１は、各階での呼び釦２１と接続した乗り場制御装置２５と１つ又は複数のかご制御装置４０とに接続されて、１つ又は複数のエレベーターの昇降動作を制御している。
【００２１】
図２に示すように、それぞれのかご３０はかご制御装置４０とカメラ３５を有し、かご制御装置４０は、エレベータ制御盤５１と接続された制御部４１と、カメラ３５と接続されてかご内の乗客等の画像を解析する画像解析部４２と、画像解析部で解析された画像（かご内乗客の性別と人数を含む）を携帯端末１に送信する情報送信部４３と、を具備している。また、乗り場制御装置２５は、乗り場の呼び釦２１及びエレベーター制御盤５１と接続された制御部２６と、携帯端末１の情報送受信部１２と呼び登録情報をやり取りする情報送受信部２７と、を具備している。
【００２２】
乗り場乗客の保持する携帯端末１は、エレベーター呼び登録アプリケーションソフト３を有し、さらに、乗り場制御装置２５との間で呼び登録情報を送受信し、且つかご内の乗客を含めた画像情報を受信する情報送受信部１２を有する。
【００２３】
乗り場利用者の所持する携帯端末１には、エレベーター呼び登録を可能とするアプリケーションソフト３がインストールされており、当該アプリの選択後に表示される呼び登録のための起動画面２には、乗車条件編集画面４と呼び登録画面５とが表示される。乗車条件編集用釦７を操作すると乗車条件設定画面６が表示され、所持者の性別が予め分かっている携帯端末には、かご呼びで乗車しても良しとする最低限の乗車条件を入力操作する設定画面６が示される。携帯端末の所持者が女性の場合に、男性との２人きりの乗車を回避するためには乗車条件として男性欄に２人以上とか２人〜定員のように人数の範囲指定をすることができる。この場合、女性が自分１人だけの乗客を避けるために、女性欄に２人〜定員のように人数の範囲指定をしてもよい。
【００２４】
携帯端末１の呼び登録画面５には、エレベーターの呼びを発生させてもなかなかエレベーターが到着しない場合に、エレベータの乗車状態を検索し確認するための操作ボタンである乗車状態検索用釦８と、携帯端末１の所持者が乗車条件を設定して登録する場合に当該乗車条件を常時自動登録するための乗車条件設定後の常時自動登録用釦９と、乗車条件を１回のみ又はその都度設定して登録するための乗車条件設定後の一回のみ自動登録用釦１０と、が表示される。
【００２５】
ここで、常時自動登録用釦９を一旦を操作しておけば、登録した乗車条件で所持者が乗り場２０に接近して携帯端末１と乗り場制御装置２５とが送受信可能となれば、常に、当該乗車条件で呼びが自動登録されてエレベーターが制御されるのである。これに対して、一回のみ自動登録用釦１０は、所持者の都合によって、その都度乗車条件を登録する場合に利用されるものである。これらの自動登録用釦９，１０で設定し登録するタイミングは、乗り場２０と情報授受の可能な範囲を超えた箇所で実行することができ、情報授受の実行は携帯端末１が乗り場２０に接近した環境で可能となる。
【００２６】
次に、本実施形態に係るエレベーターシステムの動作について図５を参照しながら以下説明する。カメラ３５と画像解析部４２によるかご内の乗車状態、すなわち性別、人数等のかご内情報を携帯端末１は情報送信部４３から取得し（Ｓ１とＳ２）、携帯端末１の呼び登録アプリ３は自身が設定した乗車条件（自動登録した条件）とかご内の乗車状態とが合致しているかを否かを判断し（Ｓ３）、合致していれば、情報送受信部１２が呼び指令を乗り場制御装置２５内の情報送受信部２７に伝送する。ここで、携帯端末１の呼び登録アプリ３は、かご３０の乗車状態の把握を行い、乗車条件の設定６を行い、乗車状態と乗車条件とを比較し判断する、という機能を備えている。
【００２７】
呼び登録アプリ３は、乗車してもよしとするかご内の利用者（乗客とも称する）の性別と人数を乗車条件として設定し登録できる機能を有しているので、このような機能を利用すれば、例えば、乗り場利用者がその携帯端末情報から男性であると識別された場合（呼び登録アプリ３に付加された性別情報で識別してもよい）、呼び登録アプリ３には、乗車条件に男性０人、女性１人の条件を登録できないようにすることもできる。これによって、かご内に異性と２人きりになることを事前に回避できる。
【００２８】
また、かご内の利用者（かご内乗客）が女性１人であると画像解析された場合には、乗り場制御装置２５の制御部２６は、携帯端末１が男性利用者であることの情報を得て、男性利用者の携帯端末１とのやり取りで呼び登録を待機させ、かご内乗客の女性が降車後に、再度画像解析を経て呼び登録又は待機させることもできる。なお、図２において、本実施形態における携帯端末を使用しないで通常のエレベーター呼びを行うには、乗り場利用者による乗り場２０の呼び釦２１の押圧操作によって、乗り場制御装置２５が図５のＳ４に示すエレベーターの呼び登録を行うものである。
【００２９】
以上の説明はエレベーターが１台設置されていることを前提にして説明したが、これに限らず、エレベーターが複数台併設の場合は、呼び登録アプリケーションソフト３により全エレベーターの乗車状態を確認することができ、乗車条件と合致した１台に対して自動で呼び登録を可能とする。さらに、乗車条件に合致したエレベーターが複数台の時は，この呼び登録アプリケーションソフト３がどのエレベーターに乗車するかを選択可能とすることもできる。以上のような種々の対応は、呼び登録アプリケーションソフト３のプラグラム設計でたやすく実施することができる。
【００３０】
以上のように、本実施形態によれば、乗り場の利用者は、乗車してもよしとする乗車条件のエレベーターを所望する場合に、利用者の携帯端末１から乗車条件を登録するだけで良く、簡易な操作で所定の乗車条件のエレベーターだけを呼び寄せるため、エレベーターの無駄な停止動作を回避でき、サービス性の向上を図ることができる。また、利用者自身で乗車条件を設定していることから、エレベーターの待ち時間による嫌悪感も払拭することができる。
【００３１】
繰り返して本実施形態の特徴を述べると、乗り場のエレベーター利用者の携帯端末にてエレベーターの乗車状態を把握可能なアプリケーションソフトを用い、予め設定した乗車条件をアプリケーションソフトに登録しておくことで登録した乗車条件に沿ったエレベーターの呼びを自動で登録できるものであり、これによって、乗り場の利用者は、予め乗車してもよいエレベーターの乗車条件を設定しておきたい場合、自己の携帯端末からアプリケーションソフトを用いて登録し、所定の乗車条件と合致したエレベーターが登録階に割り当てられることとなる。
【００３２】
また、本実施形態によれば、エレベーター利用者が異性と２人きりにならない設定を有し、さらに、女性が１人きりで乗車している場合、乗り場の男性利用者が登録した呼び登録を待機させることを可能とする。これによって、乗り場のエレベーター利用者が異性と２人きりの乗客を狙った悪戯等を事前に回避することができる。
【符号の説明】
【００３３】
１  携帯端末
２  アプリケーションソフト起動画面
３  エレベータ呼び登録アプリケーション又はその画面
４  乗車条件編集画面
５  呼び登録画面
６  乗車条件設定画面
７  乗車条件編集用釦
８  乗客状態検索用釦
９  乗車条件の常時自動登録用釦
１０  乗車条件の一回のみ自動登録用釦
１２  携帯端末の情報送受信部
２０  乗り場
２１  呼び釦
２２  乗り場ドア
２３  到着灯
２５  乗り場制御装置
２６  制御部
２７  情報送受信部
３０  かご
３１  かご内操作盤
３２  行き先階登録釦
３３  開釦
３４  閉釦
３５  カメラ
４０  かご制御装置
４１  制御部
４２  画像解析部
４３  情報送受信部
５０  昇降路又は機械室
５１  エレベーター制御盤
【図１】
2014169144.tif 000003
【図２】
2014169144.tif 000004
【図３】
2014169144.tif 000005
【図４】
2014169144.tif 000006
【図５】
2014169144.tif 000007